(57)【要約】　　　（修正有）とかくポスター等で無法状態であった電柱を管理しやすくしかも美麗な有料媒体として活用できる軽便な電柱用掲示具を得る。【構成】上下にベルト通し３を有する透明樹脂シート製の大型封筒様の形態をなしていて、これにベルト留め具５を装着したベルト４を上下のベルト通し３に通し、かつ蓋２の部分を背面にして電柱７に巻き付け固定させるように構成されてなる。【選択図】　図１
0003098481.tif 000002
【実用新案登録請求の範囲】
【請求項１】
上下にベルト通し（３）を有する透明樹脂シート製の大型封筒様の形態をなしていて、これにベルト留め具（５）を装着したベルト（４）を上下のベルト通し（３）に通し、かつ蓋（２）の部分を背面にして電柱（７）に巻き付け固定させるように構成されてなる再利用可能な電柱用ポスターケース（１）。
【考案の詳細な説明】
【０００１】
【産業上の利用分野】
本考案は、電柱用のポスター掲示具に関するものである。
【０００２】
【従来の技術】
従来、電柱にポスターを掲示する方法として直接電柱に貼るかボードに貼ったものを針金や紐のようなもので縛るといったものでしかなかった。これには理由がいくつかある。電柱は半公共物であると同時に感電事故の危険があるので、これを公告等で利用する場合はいくつかの制限が課せられている。反公共的でないことは当然として、安全及び管理上の問題から公告媒体は素材や構造など統一されたものが用いられている。しかも電柱の数が多いので管理上からも長期的な使用契約となっている。だから、時折電柱に掲示されている掲示物はほとんどが無許可である。このような事情から電柱に掲示する場合はすぐ撤去しやすいように前記のような簡易な手段をとっている。
【０００３】
【考案が解決しようとする課題】
従来の技術でも述べた様に、電柱の使用許可は電力会社が独自の基準で与えるというものであるがゆえに短期間ならばと無許可の掲示物が氾濫しており、その内容と共に美観上も社会問題となっている。糊や強力な両面テープで取り付けた場合、痕跡が残ってしまう。これを防止するために電柱に小さな突起がついた金属板を取り付けたものもあるが針金や紐でなら可能なので汚れ防止にはなっても根本的な解決策とはいえない。一方で、日本では掲示板のような簡便に使用できる公共媒体が少ないのも事実であり、選挙関係のポスターを貼る場所など政治活動にも制限があるのも実情である。その意味では電柱は公共媒体に準じた媒体として活用されなければならない。もちろん、電力会社は国策で制約される事業とはいえ、株式を公開している民間会社でもある。電柱も管理された範囲での有効利用もなされるべきで、公序良俗に反した無法地帯を解消できるメリットもある。
【０００４】
【課題を解決するための手段】
上記目的を達成するために本考案における電柱用ポスターケースは、ポスターを美麗に見せることができ、しかも雨風にも耐えられるものでなければならないし、悪意のいたずらにも最低限抵抗できる強度や、ポスターの出し入れや設置も撤去も短時間でできる作業性の高さも見逃せない。作業性と同時にコストも重要である。環境を考慮すれば、繰り返し使用できるものが良い。掲示物の大敵は雨もさることながら風である。風に対しては電柱の円筒型にそって密着する形態が最も良いと思われる。このような条件をクリヤーするには、素材は比較的厚手の透明な樹脂シートが最適で、熱溶着加工で量産も容易である。基本的な形態は、透明な大型封筒様のケースの上下にベルト通しが付いたものと考えればよい。ベルトは汎用の包装用のものでよく、ベルトを留める部材はやはり汎用の包装用で樹脂製のものを用いる。この透明な大型封筒様のケースの大きさは種々考えられるが、基本的にはＡ３が入るサイズにする。このサイズは、想定する一般的な電柱の太さを人の目線の位置にすると直径が３５ｃｍ程度であることからＡ３以上では正面から見たとき側面に回りこんで見にくくなるという理由からである。設置高さを平均的な大人の目線の位置にするのは、効果もさることながら設置および撤去の作業性を考慮してのものである。このポスターケースを電柱に取り付ける方法は、ポスター等をあらかじめ中に収納した後、封筒の蓋にあたる部分を裏にしてベルトと留め具で電柱に巻き付け固定する。ベルトの長さは最低でも１３０ｃｍは必要である。撤去はベルトを切断し廃棄するが、留め具は回収して再利用する。つまりベルトのみセットしなおして再利用するのである。ベルトは一度締め付けると強度が落ちたり変形したりまたは傷がついたりするので再利用はしないのだが、回収撤去の作業効率を高めるという理由も大きい。いずれにしても作業は人手によるので作業効率は重要である。封筒の蓋にあたる素材は、ポスターを出し入れしやすいように柔らかな素材にしておくかヒンジ部分が柔軟な動きができる構造を設けるのが望ましい。ポスターケースの上下のベルト通しは不透明なシートを用いるのがよい。そうすればベルトを隠す効果もあり美麗であるからである。さらにはこの場所に印刷を施すこともでき、ポスターケースを媒体として管理するときに管理社名及び通しの管理番号等を入れることができる。ポスターケースの表面は透明シートでなければならないが、背面は透明でなくともかまわない。ポスターケースの蓋の裏に弱い粘着帯を設けてもかまわない。ポスターケースの背面の樹脂シートはポスターケースの内面にあたる側を梨地にすればポスターの出し入れや保管時のくっつきの予防ともなる。この背面のシートは表面より薄手でもかまわない。
【０００５】
【作用】
以上のごとく考案された本考案の電柱用ポスターケースは下記に示す作用を有する。
【０００６】
基本的な形状が上下にベルト通しを有する透明樹脂シート製の大型封筒様のケースで、蓋の部分を背面にして電柱に巻き付けこれを専用の留め具で締め付け固定するので、簡易ながら風雨にも耐えられかつポスターが美麗に掲示できるという作用を有する。
【０００７】
【実施例】
実施例について図面を参照して説明する。
図１から図２において、ポスターケース本体９は０、３ｍｍから０、４ｍｍ程度の透明なポリプロピレン樹脂等のシートを熱溶着加工により大型の封筒様に加工して得るが、ポスターケース本体９の表面は透明でなくてはならないが背面は不透明な別なシート生地でもかまわない。この場合、内面が梨地に加工されていれば保管時に密着して不都合が起きるのを防止できるので望ましい。上下のベルト通し３は同じ一体のシート生地で筒状に形成されてもよいが、別の不透明なシート生地を用いて溶接してもかまわない。蓋２はポスターケース本体９の開口部１０にヒンジで被せる形で設けられる。この蓋２の素材はポスターケース本体９よりも軟質のグレードのものを用いる。ポスターを出し入れするとき扱いやすくするためである。これが固いとヒンジも固くなる。蓋２の内側に弱粘着帯を設けてもよい。蓋２にポスタ本体９と同じ素材を用いるときは複数のヒンジ線を設けることでもかまわない。ポスター本体９の大きさはＡ３のポスターが縦に入る程度の幅を限度とするが高さはこれより大きくてもかまわない。ベルト通し３はベルトの寸法で決まるが、ベルトはポリプロピレン製等で汎用のものを用いるが、樹脂製のベルト留め具５が有効に効くものを選定する。幅は１５ｍｍ程度が望ましい。ベルトの長さは電柱にもよるが一般タイプを基準とすれば１５０ｃｍあれば十分である。ベルト４は前もってベルト留め具５を片方だけ留めめておくほうがよい。ベルト通し３の表面に印刷６を入れてもよい。
【０００８】
【考案の効果】
本考案は、上述の通り構成されているので、以下に記載するような効果を奏する。
【０００９】
とかくポスター等で無法状態であった電柱を管理しやすくしかも美麗な有料媒体として活用できるので有用である。
【図面の簡単な説明】
【図１】電柱用ポスターケースの斜視図である。
【図２】電柱用ポスターケースを電柱に装着した斜視図である。
【符号の説明】
１　　電柱用ポスターケース
２　　蓋
３　　ベルト通し
４　　ベルト
５　　ベルト留め具
６　　印刷
７　　電柱
８　　ポスター
９　　ポスターケース本体
１０　開口部
【図１】
0003098481.tif 000003
【図２】
0003098481.tif 000004